(57)【要約】【課題】ユーザからの適用する信号フォーマットの変更要求に即応可能であり、また、ＯＶＰＮ内の伝送路の有効利用を図ることができるＯＶＰＮを実現する。【解決手段】ユーザが、どのようなレイヤ１信号をＯＶＰＮに接続したいのかを通知可能とする制御線を用い、ユーザがＯＶＰＮ終端装置を制御する。ユーザからのデータ線を複数種類の信号変換器に接続し、様々なレイヤ１信号をＯＶＰＮに収容可能とする。特に、ユーザ装置で用いる第一の信号フォーマットと、ＯＶＰＮ内で用いる第二の信号フォーマットとが異なる場合には、第一の信号フォーマットによる信号を第二の信号フォーマットによる信号によってカプセリングしてＯＶＰＮ内を伝送させる。この際に、ＯＶＰＮ内で同じ対地に向かう信号は多重して伝送する。あるいは、第一の信号フォーマットによる信号を複数に分割して第二の信号フォーマットによる信号によりカプセリングする。【選択図】  図１
2004193649.tif 000002
【特許請求の範囲】
【請求項１】
ＯＶＰＮ（Ｏｐｔｉｃａｌ  Ｖｉｒｔｕａｌ  Ｐｒｉｖａｔｅ  Ｎｅｔｗｏｒｋ）加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、
当該相互に変換する手段は、複数の異なる前記第一の信号フォーマットに対応して複数設けられ、
前記相互に変換する手段は、
前記ユーザ装置から送出される前記第一の信号フォーマットを前記第二の信号フォーマットによりカプセリングして前記ＯＶＰＮに転送する手段と、
前記ＯＶＰＮから送出される前記第二の信号フォーマットによりカプセリングされた信号を前記第一の信号フォーマットにデカプセリングして前記ユーザ装置に転送する手段と
を備え、
前記ＯＶＰＮに転送する手段は、同一の対地に向かう前記第二の信号フォーマットによる複数の信号を多重する手段を備え、
前記ユーザ装置に転送する手段は、前記多重する手段により多重された信号を前記複数の信号に分離する手段を備えた
ことを特徴とするＯＶＰＮシステム。
【請求項２】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置において、
前記相互に変換する手段を自装置内に備え、
前記相互に変換する手段は、
前記ユーザ装置から送出される前記第一の信号フォーマットを前記第二の信号フォーマットによりカプセリングして前記ＯＶＰＮに転送する手段と、
前記ＯＶＰＮから送出される前記第二の信号フォーマットによりカプセリングされた信号を前記第一の信号フォーマットにデカプセリングして前記ユーザ装置に転送する手段と
を備え、
前記ＯＶＰＮに転送する手段は、同一の対地に向かう前記第二の信号フォーマットによる複数の信号を多重する手段を備え、
前記ユーザ装置に転送する手段は、前記多重する手段により多重された信号を前記複数の信号に分離する手段を備えた
ことを特徴とするＯＶＰＮ終端装置。
【請求項３】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、
前記相互に変換する手段は、
前記ユーザ装置から送出される前記第一の信号フォーマットを前記第二の信号フォーマットによりカプセリングして前記ＯＶＰＮに転送する手段と、
前記ＯＶＰＮから送出される前記第二の信号フォーマットによりカプセリングされた信号を前記第一の信号フォーマットにデカプセリングして前記ユーザ装置に転送する手段と
を備え、
前記ＯＶＰＮに転送する手段は、前記第一の信号フォーマットによる一連の信号を前記第二の信号フォーマットによる複数の信号に分割してカプセリングする手段を備え、
前記ユーザ装置に転送する手段は、前記分割してカプセリングする手段により分割された前記複数の信号を前記一連の信号に復元する手段を備えた
ことを特徴とするＯＶＰＮシステム。
【請求項４】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置において、
前記相互に変換する手段を自装置内に備え、
前記相互に変換する手段は、
前記ユーザ装置から送出される前記第一の信号フォーマットを前記第二の信号フォーマットによりカプセリングして前記ＯＶＰＮに転送する手段と、
前記ＯＶＰＮから送出される前記第二の信号フォーマットによりカプセリングされた信号を前記第一の信号フォーマットにデカプセリングして前記ユーザ装置に転送する手段と
を備え、
前記ＯＶＰＮに転送する手段は、前記第一の信号フォーマットによる一連の信号を前記第二の信号フォーマットによる複数の信号に分割してカプセリングする手段を備え、
前記ユーザ装置に転送する手段は、前記分割してカプセリングする手段により分割された前記複数の信号を前記一連の信号に復元する手段を備えた
ことを特徴とするＯＶＰＮ終端装置。
【請求項５】
ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、
複数の請求項２または４記載のＯＶＰＮ終端装置に共通に前記相互に変換する手段の機能を提供する手段を備えた
ことを特徴とする集中変換装置。
【請求項６】
請求項１または３記載のＯＶＰＮシステムまたは請求項２または４記載のＯＶＰＮ終端装置または請求項５記載の集中変換装置を備えたことを特徴とする光通信網。
【発明の詳細な説明】
【０００１】
【発明の属する技術分野】
本発明は、ＶＰＮ（Ｖｉｒｔｕａｌ  Ｐｒｉｖａｔｅ  Ｎｅｔｗｏｒｋ）に関する。特に、マルチレイヤネットワークにおける様々なレイヤ１信号を収容可能であるレイヤ１ＶＰＮやＯＶＰＮ（Ｏｐｔｉｃａｌ  Ｖｉｒｔｕａｌ  Ｐｒｉｖａｔｅ  Ｎｅｔｗｏｒｋ）と呼ばれるＶＰＮに関する。
【０００２】
【従来の技術】
ＶＰＮは、公衆ネットワークを利用しながら、あたかもプライベートにネットワークを利用しているような環境をユーザに提供するサービスである。図１５は従来のＯＶＰＮ構成を示す図であるが、従来の技術では、図１５に示すように、ユーザが拠点間でＯＶＰＮを構成する場合に、拠点間に光専用線２３〜２５をネットワークプロバイダから借りて接続し、ＯＶＰＮを構成するのが一般的である。この場合に、光専用線２３〜２５は、光クロスコネクト装置（以下では、ＯＸＣと記す）１０〜１２によって設定される。また、ＯＸＣ１０〜１２は、ＯＶＰＮ制御端末１３〜１５から制御用専用線１〜６によって設定される。ＯＶＰＮ制御端末１３〜１５をユーザに提供する場合には、ネットワークプロバイダが保有するＯＸＣ１０〜１２の一部機能の制御をユーザが行えるようにしている。
【０００３】
このようなＯＶＰＮにおいて、マルチレイヤネットワークにおけるレイヤ１信号をトランスペアレントに伝達する機能を有する専用線を構成する技術として、ＳＤＨ／ＳＯＮＥＴや、ＯＴＮ（Ｏｐｔｉｃａｌ  Ｔｒａｎｓｐｏｒｔ  Ｎｅｔｗｏｒｋ）という技術がある。様々なレイヤ１信号（例えば、ＰＤＨ、Ｅｔｈｅｒｎｅｔ（登録商標）、Ｇｉｇａｂｉｔ  Ｅｔｈｅｒｎｅｔ、Ｆｉｂｅｒ  ｃｈａｎｎｅｌ、ＳＤＨ／ＳＯＮＥＴ、ＯＴＮ等）を、網の入口でＳＤＨ／ＳＯＮＥＴのパスペイロード、あるいはＯＴＮの光チャネル（ＯＣｈ）ペイロードに収容する信号変換器と、網の出口でペイロードから収容したレイヤ１信号を取り出して出力する信号変換器を介して伝達することで、レイヤ１のディジタル信号をトランスペアレントに伝達する機能を提供している。
【０００４】
現状の技術レベルでは、Ｇｉｇａｂｉｔ  ＥｔｈｅｒｎｅｔとＦｉｂｅｒ  ｃｈａｎｎｅｌといった、一部の例外を除くと、同一の信号変換器で複数のレイヤ１信号を取り扱うことができない。
【０００５】
したがって、ＯＶＰＮを上述の信号変換器を用いて構成した場合に、ＯＶＰＮを利用するユーザは、予め使用するレイヤ１信号をＯＶＰＮ提供者に届け出を行い、所望の信号変換器をＯＶＰＮの終端装置に配備してもらわなくてはならない（例えば、非特許文献１参照）。
【０００６】
【非特許文献１】
三澤、片山、岡本、山中“Ｏｐｔｉｃａｌ  ＶＰＮサービスの提案”２００２信学ソサエティ大会ＳＢ−６−４
【０００７】
【発明が解決しようとする課題】
このように、従来のＯＶＰＮでは、レイヤ１信号をトランスペアレントに伝達するという機能を提供することは可能であるが、収容するレイヤ１信号をＯＶＰＮユーザが変更したいという要求に対しては、信号変換器の取替えやファイバの接続変更といった作業が必要となり、ユーザからの変更要求に対して即応できないという問題がある。
【０００８】
本発明は、このような背景に行われたものであって、ユーザからの適用する信号フォーマットの変更要求に即応可能なＯＶＰＮを提供することを目的とする。また、本発明は、ＯＶＰＮ内の伝送路の有効利用を図ることができるＯＶＰＮを提供することを目的とする。
【０００９】
【課題を解決するための手段】
本発明では、ＯＶＰＮのユーザが、どのようなレイヤ１信号をＯＶＰＮに接続したいのかをＯＶＰＮ終端装置あるいはＯＶＰＮシステムに通知可能とするための制御線を用いることを第一の特徴としている。制御線をＯＶＰＮユーザに提供することにより、ユーザがＯＶＰＮを制御することが可能となる。
【００１０】
また、ユーザからのデータ線を光スイッチを介して複数種類の信号変換器に接続することが第二の特徴である。光スイッチを介することで、様々なレイヤ１信号をＯＶＰＮに収容可能となる。
【００１１】
さらに、ユーザからの制御線により入力された情報に基づいて光スイッチを制御する制御装置を用いることが第三の特徴である。これにより、ＯＶＰＮのエンド・エンドでのユーザ主導のレイヤ１信号の種別変更に即応することが可能となる。
【００１２】
特に、本発明では、ユーザ装置で用いる第一の信号フォーマットと、ＯＶＰＮ内で用いる第二の信号フォーマットとが異なる場合には、第一の信号フォーマットによる信号を第二の信号フォーマットによる信号によってカプセリングしてＯＶＰＮ内を伝送させることを前提とする。
【００１３】
この際に、ＯＶＰＮ内で同じ対地に向かう信号は多重して伝送することを特徴とする。あるいは、ユーザ装置で用いる第一の信号フォーマットによる信号をＯＶＰＮ内で用いる第二の信号フォーマットによる信号によりカプセリングしようとしたときに、第一の信号フォーマットによる信号が第二の信号フォーマットによる信号に入りきれない場合には、第一の信号フォーマットによる信号を複数に分割して第二の信号フォーマットによる信号によりカプセリングすることを特徴とする。
【００１４】
これにより、ユーザからの適用する信号フォーマットの変更要求に即応可能であり、また、ＯＶＰＮ内の伝送路の有効利用を図ることができるＯＶＰＮを実現することができる。
【００１５】
すなわち、本発明の第一の観点はＯＶＰＮシステムであって、本発明の特徴とするところは、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、前記相互に変換する手段は、前記ユーザ装置から送出される前記第一の信号フォーマットを前記第二の信号フォーマットによりカプセリングして前記ＯＶＰＮに転送する手段と、前記ＯＶＰＮから送出される前記第二の信号フォーマットによりカプセリングされた信号を前記第一の信号フォーマットにデカプセリングして前記ユーザ装置に転送する手段とを備え、前記ＯＶＰＮに転送する手段は、同一の対地に向かう前記第二の信号フォーマットによる複数の信号を多重する手段を備え、前記ユーザ装置に転送する手段は、前記多重する手段により多重された信号を前記複数の信号に分離する手段を備えたところにある。
【００１６】
これにより、ＯＶＰＮを構成する拠点は、その適用する信号フォーマットによらず柔軟にＯＶＰＮを構成することができる。さらに、同一の対地に向かう複数の信号が一本化されるので、ネットワークリソースの有効利用を図ることができる。
【００１７】
本発明の第二の観点は、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置である。
【００１８】
ここで、本発明の特徴とするところは、前記相互に変換する手段を自装置内に備え、前記相互に変換する手段は、前記ユーザ装置から送出される前記第一の信号フォーマットを前記第二の信号フォーマットによりカプセリングして前記ＯＶＰＮに転送する手段と、前記ＯＶＰＮから送出される前記第二の信号フォーマットによりカプセリングされた信号を前記第一の信号フォーマットにデカプセリングして前記ユーザ装置に転送する手段とを備え、前記ＯＶＰＮに転送する手段は、同一の対地に向かう前記第二の信号フォーマットによる複数の信号を多重する手段を備え、前記ユーザ装置に転送する手段は、前記多重する手段により多重された信号を前記複数の信号に分離する手段を備えたところにある。
【００１９】
あるいは、本発明の第一の観点はＯＶＰＮシステムであって、本発明の特徴とするところは、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、前記相互に変換する手段は、前記ユーザ装置から送出される前記第一の信号フォーマットを前記第二の信号フォーマットによりカプセリングして前記ＯＶＰＮに転送する手段と、前記ＯＶＰＮから送出される前記第二の信号フォーマットによりカプセリングされた信号を前記第一の信号フォーマットにデカプセリングして前記ユーザ装置に転送する手段とを備え、前記ＯＶＰＮに転送する手段は、前記第一の信号フォーマットによる一連の信号を前記第二の信号フォーマットによる複数の信号に分割してカプセリングする手段を備え、前記ユーザ装置に転送する手段は、前記分割してカプセリングする手段により分割された前記複数の信号を前記一連の信号に復元する手段を備えたところにある。
【００２０】
これにより、ユーザ装置が用いる第一の信号フォーマットによる信号のデータ量の如何に係わらず、ＯＶＰＮ内の第二の信号フォーマットによる信号によりカプセリングを行うことができるため、ユーザは、自己が送出するデータ量を考慮することなく、任意のデータ量のデータ伝送を行うことができる。
【００２１】
また、本発明の第二の観点は、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられたＯＶＰＮ加入者のユーザ装置を収容するＯＶＰＮ終端装置である。
【００２２】
ここで、本発明の特徴とするところは、前記相互に変換する手段を自装置内に備え、前記相互に変換する手段は、前記ユーザ装置から送出される前記第一の信号フォーマットを前記第二の信号フォーマットによりカプセリングして前記ＯＶＰＮに転送する手段と、前記ＯＶＰＮから送出される前記第二の信号フォーマットによりカプセリングされた信号を前記第一の信号フォーマットにデカプセリングして前記ユーザ装置に転送する手段とを備え、前記ＯＶＰＮに転送する手段は、前記第一の信号フォーマットによる一連の信号を前記第二の信号フォーマットによる複数の信号に分割してカプセリングする手段を備え、前記ユーザ装置に転送する手段は、前記分割してカプセリングする手段により分割された前記複数の信号を前記一連の信号に復元する手段を備えたところにある。
【００２３】
本発明の第三の観点は集中変換装置であって、本発明の特徴とするところは、ＯＶＰＮ加入者のユーザ装置が用いる第一の信号フォーマットと前記ＯＶＰＮが用いる第二の信号フォーマットとが異なる場合に前記第一の信号フォーマットと当該第二の信号フォーマットとを相互に変換する手段を備え、当該相互に変換する手段は、複数の異なる前記第一の信号フォーマットに対応して複数設けられ、複数の本発明のＯＶＰＮ終端装置に共通に前記相互に変換する手段の機能を提供する手段を備えたところにある。
【００２４】
これにより、ＯＶＰＮ終端装置に前記相互に変換する手段を備える必要がなく、ＯＶＰＮ終端装置の構成を簡単化および低コスト化することができる。
【００２５】
本発明の第四の観点は、本発明のＯＶＰＮシステムまたはＯＶＰＮ終端装置または集中変換装置を備えたことを特徴とする光通信網である。
【００２６】
【発明の実施の形態】
（第一実施例）
第一実施例を図１ないし図３を参照して説明する。図１は第一実施例のＯＶＰＮ構成を説明するための図である。図２は第一実施例のＯＶＰＮ終端装置（その２）を説明するための図である。図３は第一実施例のカプセリングおよびデカプセリングの状況を説明するための図である。説明を簡単化するために、図１では、左上のユーザ装置２０−１、２１−１から左下のユーザ装置２０−２、２１−２への信号が伝送される例を示しているが、通常の通信は、同時に反対方向へも信号が伝送される。また、図１に示すＯＶＰＮ終端装置３０および８０、網制御装置４０および６０、光クロスコネクト装置５０および７０はそれぞれ同一構成の装置であり、以下では、説明を簡単化するために、主としてＯＶＰＮ終端装置３０、網制御装置４０、光クロスコネクト装置５０について説明し、ＯＶＰＮ終端装置８０、網制御装置６０、光クロスコネクト装置７０の同一内容の説明は省略する。
【００２７】
図１に示すように、ＯＶＰＮ終端装置３０は、ユーザ装置２０−１、２１−１から送出される第一の信号フォーマットを第二の信号フォーマットによりカプセリングしてＯＴＮに転送し、ＯＴＮから送出される第二の信号フォーマット＃２によりカプセリングされた信号を第一の信号フォーマットにデカプセリングしてユーザ装置２０−２、２１−２に転送するカプセリング部３５、３６を備える。
【００２８】
なお、ユーザ装置およびＯＶＰＮ共に同一信号フォーマットである場合には一切のカプセリングを必要とせず、カプセリング部３５、３６、８５、８６を経由せずに通信を行うことがてきるが、そのようなケースは、本発明の特徴を説明する上で無意味なので説明を省略する。したがって、実際にはカプセリング部３５、３６、８５、８６が挿入されていない伝送路も設けられているが図示は省略する。
【００２９】
すなわち、図１に示すように、一端にユーザ装置２０−１、２１−１、２２−１を収容し、他端にクロスコネクト装置５０が接続された光スイッチ３２を備え、カプセリング部３５、３６は、当該光スイッチ３２のユーザ装置２０−１、２１−１、２２−１と対向する側のポートに設けられる。これにより、光スイッチ３２の方路切り替えにより、任意のカプセリング部３５または３６を選択することができる。
【００３０】
あるいは、図２に示すように、一端にユーザ装置２０−１、２１−１、２２−１を収容し、他端にクロスコネクト装置５０が接続された光スイッチ３２を備え、カプセリング部３５、３６は、当該光スイッチ３２のユーザ装置２０−１、２１−１、２２−１と対向する側のポートに設けられその変換出力は当該光スイッチ３２のユーザ装置２０−１、２１−１、２２−１を収容する側のポートに回帰する。
【００３１】
図１の光スイッチ配備例では、光スイッチ３２を切替えてカプセリング部３５または３６を選択した際に、カプセリング部の配置位置によっては光クロスコネクト装置５０の再設定が必要となる場合があるが、図２のようにカプセリング部３５、３６と光スイッチ３２とを接続することにより、光クロスコネクト装置５０の再設定を不要とすることができる。
【００３２】
光スイッチ３２の接続状態は、破線の矢印で示してある。ユーザ装置２０−１は、カプセリング部３５を選択し、ユーザ装置２１−１はカプセリング部３６を選択している。これに伴いＯＶＰＮ終端装置８０内の光スイッチ８２の接続状態も設定される。両方を設定する方法としては、送信側の制御線を介して光スイッチ制御装置３１に送られた切替要求を受信側の光スイッチ制御装置８１に転送する方法や、受信側のユーザ装置からも切替要求を送る方法等が考えられるが、どのような方法を使用するかによって本発明の形態が変更されるわけではない。ユーザからの切替要求にしたがって、レイヤ１トランスペアレント専用線が変更される。
【００３３】
各カプセリング部３５、３６は、それぞれ異なる信号フォーマットのカプセリングまたはデカプセリングに対応できるようにしておき、所望する信号フォーマットに対応するカプセリング部３５、３６を光スイッチ３２の方路切り替えにより選択する。
【００３４】
次に、カプセリングおよびデカプセリングを用いたデータのトンネリング転送の具体例について説明する。図３の例では、カプセリング部３５、３６はＩＴＵ−ＴＧ．７０９で定義されたＯＴＮ多重化装置である。レイヤ１フレームとしては、イーサフレームあるいはＳＤＨフレームである。
【００３５】
ユーザ装置２０−１または２１−１からＯＶＰＮ終端装置３０に送出されたレイヤ１フレームは、カプセリング部３５、３６でＯＤＵ（Ｏｐｔｉｃａｌ  Ｄａｔａ  Ｕｎｉｔ）にマップされる。さらに、カプセリング部３５、３６は、このＯＤＵからＯＴＵ（Ｏｐｔｉｃａｌ  Ｃｈａｎｎｅｌ  Ｔｒａｎｓｐｏｒｔ  Ｕｎｉｔ）を生成してＯＴＮ内では共通のフォーマットで取り扱う。このときに、多重装置３８により同一の対地に向かうＯＤＵは一つのＯＴＵに多重される。
【００３６】
また、ＯＶＰＮからＯＶＰＮ終端装置８０に送出されたＯＴＵは、多重装置８８によりＯＤＵが取り出され、さらに、カプセリング部８５、８６でＯＤＵからレイヤ１フレームが取り出されてユーザ装置２０−２または２１−２に送出される。
【００３７】
（第二実施例）
第二実施例を図４ないし図６を参照して説明する。図４は第二実施例のＯＶＰＮ構成を説明するための図である。図５は第二実施例のＯＶＰＮ終端装置（その２）を説明するための図である。図６は第二実施例のカプセリングおよびデカプセリングの状況を説明するための図である。第二実施例では、ＳＤＨの例を用いるがＳＤＨはＳＯＮＥＴであっても同様に説明することができる。第二実施例では、図４に示すように、網制御装置４０により光クロスコネクト装置５０の方路が設定され、拠点間にレイヤ１トランスペアレント専用線網としてのＳＤＨ網を介したＯＶＰＮが構成される。なお、網制御装置４０は、各拠点のユーザ装置２０−１、２１−１、２２−１により制御することができる。
【００３８】
図６の例では、図４、図５に示すカプセリング部３５、３６はＩＴＵ−ＴＧ．７０７で定義されたＳＤＨ多重化装置である。レイヤ１フレームとしては、ＳＤＨフレームである。
【００３９】
図６に示すように、ユーザ装置２０−１からＯＶＰＮ終端装置３０に送出されたレイヤ１フレームは、カプセリング部３５でＶＣ（Ｖｉｒｔｕａｌ  Ｃｏｎｔａｉｎｅｒ）にマップされる。さらに、カプセリング部３５は、このＶＣからＳＴＭ（Ｓｙｎｃｈｒｏｎｏｕｓ  Ｔｒａｎｓｆｅｒ  Ｍｏｄｅ）フレームを生成してＳＤＨ網内では共通のフォーマットで取り扱う。このときに、ＳＤＨフレームが一つのＶＣに入りきれない場合には、多重装置３９によりＳＤＨフレームを複数に分割して複数のカプセリング部３５により複数のＶＣにマップする。これら複数のＶＣから複数のＳＴＭフレームが生成される。
【００４０】
また、ＯＶＰＮからＯＶＰＮ終端装置８０に送出されたＳＴＭフレームは、カプセリング部８５でＶＣが取り出され、さらに、多重装置８９により複数のＶＣからレイヤ１フレームが取り出されてＳＤＨフレームが復元されユーザ装置２０−２に送出される。
【００４１】
また、第二実施例でも図５に示すような光スイッチ配備構成とすることができる。
【００４２】
（第三実施例）
第三実施例を図４、図５および図７を参照して説明する。図４は第二実施例のＯＶＰＮ構成を説明するための図である。図５は第二実施例のＯＶＰＮ終端装置（その２）を説明するための図である。図７は第三実施例のカプセリングおよびデカプセリングの状況を説明するための図である。第三実施例では、図４に示すように、網制御装置４０により光クロスコネクト装置５０の方路が設定され、拠点間にレイヤ１トランスペアレント専用線網としてのＯＴＮを介したＯＶＰＮが構成される。なお、網制御装置４０は、各拠点のユーザ装置２０−１、２１−１、２２−１により制御することができる。
【００４３】
図７の例では、図４、図５に示すカプセリング部３５はＩＴＵ−ＴＧ．７０９で定義されたＯＴＮ多重化装置である。レイヤ１フレームとしては、ＳＤＨフレームである。
【００４４】
図７に示すように、ユーザ装置２０−１からＯＶＰＮ終端装置３０に送出されたレイヤ１フレームは、カプセリング部３５でＯＤＵにマップされる。さらに、カプセリング部３５は、このＯＤＵからＯＴＵを生成してＯＴＮ内では共通のフォーマットで取り扱う。このときに、ＳＤＨフレームが一つのＯＤＵに入りきれない場合には、多重装置３９によりＳＤＨフレームを複数に分割して複数のカプセリング部３５により複数のＯＤＵにマップする。これら複数のＯＤＵから複数のＯＴＵが生成される。
【００４５】
また、ＯＶＰＮからＯＶＰＮ終端装置８０に送出されたＯＴＵは、カプセリング部３５でＯＤＵが取り出され、さらに、多重装置８９により複数のＳＤＨフレームから一つのＳＤＨフレームが復元されてユーザ装置２０−２に送出される。
【００４６】
また、第三実施例でも図５に示すような光スイッチ配備構成とすることができる。
【００４７】
第二実施例と第三実施例とを比較すると、第二実施例では、ユーザ装置２０−１から送出されるレイヤ１フレームの転送レートと、ＯＶＰＮ内のＳＴＭフレームの転送レートとがほぼ等しいため、レイヤ１フレームのカプセリングに伴い、ＯＶＰＮ内の転送レートは低下する。これに対し、第三実施例では、ユーザ装置２０−１から送出されるレイヤ１フレームの転送レートよりもＯＶＰＮ内のＯＴＵの転送レートの方が速いため、レイヤ１フレームのカプセリングに伴う転送レートの低下はない。
【００４８】
（第四実施例）
第四実施例を図８および図９を参照して説明する。図８は第四実施例のＯＶＰＮ終端装置を説明するための図である。図９は第四実施例のＯＶＰＮ終端装置（その２）を説明するための図である。第一〜第三実施例で説明したＯＶＰＮ終端装置の構成は図８および図９に示すように組み合わされて実装され、必要に応じて第一〜第三実施例で説明した処理を適応的に実行することができる。
【００４９】
（第五実施例）
第五実施例を図１０ないし図１２を参照して説明する。図１０は第五実施例のＯＶＰＮ構成を説明するための図である。図１１は第五実施例のＯＶＰＮ構成を説明するための図である。図１２は第五実施例のＯＶＰＮ構成を説明するための図である。第一〜第四実施例はＯＶＰＮ終端装置の実施例であったが、第五実施例では、ＯＶＰＮ終端装置を設けることなく、ＯＶＰＮ内に第一〜第四実施例で説明したカプセリングおよびデカプセリングを集中的に行う機能である集中変換装置１００、１０１、１０２を配置する。
【００５０】
すなわち、図１０に示すように、光クロスコネクト装置５０の後段に光スイッチ制御装置３１、光スイッチ３２、カプセリング部３５、３６、多重装置３８を備えた集中変換装置１００を配置する。図１０では、光クロスコネクト装置５０の他に複数の光クロスコネクト装置が光スイッチ３２に接続され、光スイッチ制御装置３１、光スイッチ３２、カプセリング部３５、３６、多重装置３８を共用している。これにより、第一〜第四実施例では、各ＯＶＰＮ終端装置にそれぞれ設けていた光スイッチ制御装置３１、光スイッチ３２、カプセリング部３５、３６、多重装置３８をＯＶＰＮ内に一つまたは複数配置し、光クロスコネクト装置が一つの光スイッチ制御装置３１、光スイッチ３２、カプセリング部３５、３６、多重装置３８を共用することよりネットワークリソースを有効に利用することができる。ただし、多重装置３８の出力の方路をさらに光クロスコネクト装置５１によって設定する必要があるので、第一〜第四実施例と比較すると、網制御装置４０および光クロスコネクト装置５０の他に網制御装置４１および光クロスコネクト装置５１を設ける必要が生じる。
【００５１】
同様に、図１１に示すように、光クロスコネクト装置５０の後段に多重装置３９、光スイッチ制御装置３１、光スイッチ３２、カプセリング部３５、３６を備えた集中変換装置１０１を配置する（カプセリング部３６は図示省略）。図１１では、光クロスコネクト装置５０の他に複数の光クロスコネクト装置が多重装置３９に接続され、多重装置３９、光スイッチ制御装置３１、光スイッチ３２、カプセリング部３５、３５を共用している。これにより、第一〜第四実施例では、各ＯＶＰＮ終端装置にそれぞれ設けていた光スイッチ制御装置３１、光スイッチ３２、カプセリング部３５、３６、多重装置３９をＯＶＰＮ内に一つまたは複数配置し、光クロスコネクト装置が一つの光スイッチ制御装置３１、光スイッチ３２、カプセリング部３５、３６、多重装置３９を共用することよりネットワークリソースを有効に利用することができる。ただし、光スイッチ３２の出力の方路をさらに光クロスコネクト装置５１によって設定する必要があるので、第一〜第四実施例と比較すると、網制御装置４０および光クロスコネクト装置５０の他に網制御装置４１および光クロスコネクト装置５１を設ける必要が生じる。なお、このような集中変換装置が複数設けられている場合には、自ＯＶＰＮ終端装置から最短経路となる集中変換装置を選択する。このとき、当該最短経路となる集中変換装置が塞がっている場合には、次に最短経路となる集中変換装置を選択する。
【００５２】
また、図１２に示すように、図１０および図１１の構成を組み合わせて実装した集中変換装置１０２を配置することもできる。これにより、必要に応じて図１０または図１１で説明した処理を適応的に実行することができる。
【００５３】
（第六実施例）
第六実施例を図１３および図１４を参照して説明する。図１３は第六実施例のフレーム多重化を説明するための図である。図１４は第六実施例のフレーム分割を説明するための図である。第一〜第五実施例では、レイヤ１トランスペアレント専用線網として、ＯＴＮを用いた。しかし、ＯＶＰＮは擬似的にプライベート・ネットワークを作り出しているのであるから、ユーザから見てＯＶＰＮ内がレイヤ１ネットワークに見えさえすれば、実際にＯＶＰＮ内がレイヤ１ネットワークである必要はなく、レイヤ２ネットワークであっても、あるいは、レイヤ３ネットワークであってもよい。ＩＰネットワークは、レイヤ３ネットワークであるが、第六実施例では、レイヤ１トランスペアレント専用線網にＩＰネットワークを用いた例を説明する。
【００５４】
すなわち、図１のＯＴＮがＩＰネットワークに置き替わり、光クロスコネクト装置５０および７０はＩＰパケットを処理するルータに置き替わる。図１３の例では、カプセリング部３５あるいは３６は、ＳＤＨフレームあるいはイーサフレームをＩＰパケットでカプセリングする。多重装置３８は、これらＩＰパケットにカプセリングされたＳＤＨフレームおよびイーサフレームを同一対地毎に多重する。処理はＩＰヘッダによるＩＰ多重で実現される。また、図１４の例では、一つのＳＤＨフレームを二つに分割してそれぞれＩＰヘッダを付与している。
【００５５】
これにより、ＩＰパケットでカプセリングされたＳＤＨフレームあるいはイーサフレームは、レイヤ１トライスペアレント専用線網としてのＩＰネットワークをＩＰ転送される。以降の動作は、既に説明した実施例と同様である。このように、第六実施例では、レイヤ１トランスペアレント専用線網を様々なレイヤのネットワークによって実現できることを例示する。
【００５６】
【発明の効果】
以上説明したように、本発明によれば、ユーザからの適用する信号フォーマットの変更要求に即応可能であり、また、ＯＶＰＮ内の伝送路の有効利用を図ることができるＯＶＰＮを実現することができる。
【図面の簡単な説明】
【図１】第一実施例のＯＶＰＮ構成を説明するための図。
【図２】第一実施例のＯＶＰＮ終端装置（その２）を説明するための図。
【図３】第一実施例のカプセリングおよびデカプセリングの状況を説明するための図。
【図４】第二および第三実施例のＯＶＰＮ構成を説明するための図。
【図５】第二および第三実施例のＯＶＰＮ終端装置（その２）を説明するための図。
【図６】第二実施例のカプセリングおよびデカプセリングの状況を説明するための図。
【図７】第三実施例のカプセリングおよびデカプセリングの状況を説明するための図。
【図８】第四実施例のＯＶＰＮ終端装置を説明するための図。
【図９】第四実施例のＯＶＰＮ終端装置（その２）を説明するための図。
【図１０】第五実施例のＯＶＰＮ構成を説明するための図。
【図１１】第五実施例のＯＶＰＮ構成を説明するための図。
【図１２】第五実施例のＯＶＰＮ構成を説明するための図。
【図１３】第六実施例のフレーム多重化を説明するための図。
【図１４】第六実施例のフレーム分割を説明するための図。
【図１５】従来のＯＶＰＮ構成例を示す図。
【符号の説明】
１、３、５、６、２３、２４、２５  専用線
１０、１１、１２、５０、５１、７０  光クロスコネクト装置
１３、１４、１５  ＯＶＰＮ制御端末
２０−１、２０−２、２１−１、２１−２、２２−１、２２−２  ユーザ装置
３０、８０  ＯＶＰＮ終端装置
３１、８１  光スイッチ制御装置
３２、８２  光スイッチ
３５、３６、８５、８６  カプセリング部
３８、３９、８８、８９  多重装置
４０、４１、６０  網制御装置
１００、１０１、１０２  集中変換装置
【図１】
2004193649.tif 000003
【図２】
2004193649.tif 000004
【図３】
2004193649.tif 000005
【図４】
2004193649.tif 000006
【図５】
2004193649.tif 000007
【図６】
2004193649.tif 000008
【図７】
2004193649.tif 000009
【図８】
2004193649.tif 000010
【図９】
2004193649.tif 000011
【図１０】
2004193649.tif 000012
【図１１】
2004193649.tif 000013
【図１２】
2004193649.tif 000014
【図１３】
2004193649.tif 000015
【図１４】
2004193649.tif 000016
【図１５】
2004193649.tif 000017